(57)【要約】      （修正有）【課題】コーナの結合剛性を向上できると共にフェンスの耐久性を向上できる野獣防護柵を提供すること。【解決手段】野獣防護柵は、横方向に並設されて田畑の周囲を取り囲む矩形状のフェンス１０と、並設される一対のフェンス１０のコーナに配置されるコーナ部材とを備えて構成され、コーナ部材は、一対のフェンス１０によって形成されるコーナの内側に配置され一対のフェンス部１１のそれぞれに連結される補強部２１と、その補強部２１の上端から上方に延設されフェンス部１１に対して外側に傾斜配置されると共に一対の忍び返し１２間に形成される隙間を塞ぐ閉塞部２２とを備えて構成される。よって、忍び返し１２を有効に機能させることができると共に、一対のフェンス部１１のコーナにガタつきが発生することを防止できコーナの結合剛性を向上できる。【選択図】図３
2011115060.tif 000002
【特許請求の範囲】
【請求項１】
横方向に所定間隔をおいて配置され縦方向に指向する複数の縦鋼棒および縦方向に所定間隔をおいて配置され横方向に指向する複数の横鋼棒で格子状に形成される矩形状のフェンス部と、そのフェンス部の上端から上方に延設され前記フェンス部に対して外側に傾斜配置される忍び返しとを有するフェンスを備え、前記フェンス部の側辺が連結されることにより一対の前記フェンスが交差した状態で並設される野獣防護柵において、
前記一対のフェンスによって形成されるコーナの内側に配置され一対の前記フェンス部のそれぞれに連結される補強部と、その補強部の上端から上方に延設され前記補強部に対して外側に傾斜配置されると共に一対の前記忍び返し間に形成される隙間を塞ぐ閉塞部とを有するコーナ部材を備えることを特徴とする野獣防護柵。
【請求項２】
前記横鋼棒の端部が前記フェンス部の側辺を構成する前記縦鋼棒に当接することを特徴とする請求項１記載の野獣防護柵。
【請求項３】
前記縦鋼棒に係止される縦係止部と、その縦係止部から延設され前記横鋼棒が係止される横係止部と、前記縦係止部および横係止部の少なくとも一方から前記フェンスの外側に向って延設される腕部と、その腕部に形成され前記フェンスの外側に張設される裸電線を保持する保持部とを有し、絶縁部材で構成される電線保持具を備えることを特徴とする請求項１又は２に記載の野獣防護柵。
【請求項４】
前記横鋼棒が配置される所定間隔は、前記フェンス部の上部に比べて前記フェンス部の下部が狭く設定され、前記フェンスの下部に前記電線保持具を配置したことを特徴とする請求項３記載の野獣防護柵。
【発明の詳細な説明】
【技術分野】
【０００１】
本発明は野獣防護柵に関し、特に、コーナの結合剛性を向上できると共にフェンスの耐久性を向上できる野獣防護柵に関するものである。
【背景技術】
【０００２】
山林伐採などの自然破壊により、猪等の野獣が山里に下りて来て田畑の農作物を食い荒らすなどの被害が増加している。そこで、野獣防護柵で田畑の周囲を囲むことにより、野獣が田畑に侵入するのを防止している。
【０００３】
かかる従来の野獣防護柵（猪侵入防止柵）が特許文献１に開示されている。従来の猪侵入防止柵は、横方向に間隔をおいて配置された複数の縦方向の鋼線１（縦鋼棒）と上下方向に間隔をおいて配置された複数の横方向の鋼線２（横鋼棒）とで矩形状に構成され地上に位置するフェンス部Ｆ（フェンス）と、フェンス部Ｆから下方に突出した縦方向の鋼線１で形成され地中に埋められる埋め込み部３とで構成されている。フェンス部Ｆには、猪が飛び超えない上半分において横方向の鋼線２が広い間隔で配置され残りの下半分において横方向の鋼線２が狭い間隔で配置されている。これにより、猪が猪侵入防止柵を飛び越えること及び地面を掘って田畑内に侵入することを確実に防止することができる。
【０００４】
また、特許文献２には、矩形状に構成される菱形金網１１（フェンス）の上端を外側に折り曲げることにより、菱形金網１１の上端に外側へ傾斜した傾斜部、いわゆる忍び返し１６を設ける従来の侵入防止フェンス（野獣防護柵）が開示されている。かかる忍び返し１６によって猪等の野獣は飛び越えられないという圧迫感を受けるので、猪等の野獣の跳躍を防止できる。よって、侵入防止フェンスを飛び越えようとした猪等の野獣が侵入防止フェンスに衝突して侵入防止フェンスが破損することを防止できる。
【先行技術文献】
【特許文献】
【０００５】
【特許文献１】実用新案登録第３１４５０８４号（図１等）
【特許文献２】特開２００４―９２３８８号（図１及び図２等）
【発明の概要】
【発明が解決しようとする課題】
【０００６】
しかしながら、上述した従来の野獣防護柵では、フェンスの上端を外側に折り曲げて忍び返しを形成する場合、一対のフェンスが交差した状態で並設されると、コーナでは、一対の忍び返し間に隙間が発生する。一対の忍び返し間に隙間があると忍び返しが有効に機能せず、猪等の野獣がフェンスを跳び越えようとしてフェンスに衝突するので、フェンスが損傷するという問題点があった。
【０００７】
また、コーナでは一対のフェンスの側辺を構成する縦鋼線が結束ワイヤによって連結されるだけなので、一対のフェンスのうち一方のフェンスの側辺を構成する縦鋼線を中心に一方のフェンスが他方のフェンスに対して回動する場合があり、コーナがガタつくという問題点があった。
【０００８】
本発明は上述した問題点を解決するためになされたものであり、コーナの結合剛性を向上できると共にフェンスの耐久性を向上できる野獣防護柵を提供することを目的としている。
【課題を解決するための手段】
【０００９】
この目的を達成するために、請求項１記載の野獣防護柵は、横方向に所定間隔をおいて配置され縦方向に指向する複数の縦鋼棒および縦方向に所定間隔をおいて配置され横方向に指向する複数の横鋼棒で格子状に形成される矩形状のフェンス部と、そのフェンス部の上端から上方に延設され前記フェンス部に対して外側に傾斜配置される忍び返しとを有するフェンスを備え、前記フェンス部の側辺が連結されることにより一対の前記フェンスが交差した状態で並設されるものであって、前記一対のフェンスによって形成されるコーナの内側に配置され一対の前記フェンス部のそれぞれに連結される補強部と、その補強部の上端から上方に延設され前記補強部に対して外側に傾斜配置されると共に一対の前記忍び返し間に形成される隙間を塞ぐ閉塞部とを有するコーナ部材を備えている。
【００１０】
請求項２記載の野獣防護柵は、請求項１記載の野獣防護柵において、前記横鋼棒の端部が前記フェンス部の側辺を構成する前記縦鋼棒に当接している。
【００１１】
請求項３記載の野獣防護柵は、請求項１又は２に記載の野獣防護柵において、前記縦鋼棒に係止される縦係止部と、その縦係止部から延設され前記横鋼棒が係止される横係止部と、前記縦係止部および横係止部の少なくとも一方から前記フェンスの外側に向って延設される腕部と、その腕部に形成され前記フェンスの外側に張設される裸電線を保持する保持部とを有し、絶縁部材で構成される電線保持具を備えている。
【００１２】
請求項４記載の野獣防護柵は、請求項３記載の野獣防護柵において、前記横鋼棒が配置される所定間隔は、前記フェンス部の上部に比べて前記フェンス部の下部が狭く設定され、前記フェンス部の下部に前記電線保持具を配置している。
【発明の効果】
【００１３】
請求項１記載の野獣防護柵によれば、フェンスには、複数の縦鋼棒と複数の横鋼棒とで格子状に形成されるフェンス部の上端から上方に延設される忍び返しがフェンス部に対して外側に傾斜配置されるので、フェンス部の側辺が連結され一対のフェンスが交差した状態で並設されると、一対の忍び返し間に隙間が発生する。
【００１４】
ここで、コーナ部材は、一対のフェンスによって形成されるコーナの内側に配置される補強部と、その補強部の上端から上方に延設され補強部に対して外側に傾斜配置される閉塞部とを備えており、コーナ部材の補強部が一対のフェンス部のそれぞれに連結されると共に、一対の忍び返し間に形成される隙間をコーナ部材の閉塞部が塞ぐので、コーナの結合剛性を向上できると共にフェンスの耐久性を向上できるという効果がある。
【００１５】
即ち、一対の忍び返し間に隙間が発生する場合であっても、かかる隙間がコーナ部材の閉塞部で塞がれるので、忍び返しを有効に機能させることができる。よって、フェンスを飛び越えることができないという圧迫感を野獣に対して確実に与えることができるので、野獣がフェンスに衝突してフェンスが破損することを防止でき、フェンスの耐久性を向上できる。
【００１６】
また、一対のフェンスによって形成されるコーナにおいて、コーナ部材の補強部が一対のフェンス部のそれぞれに連結されるので、コーナ部材の補強部によってコーナの角度（一対のフェンスが交差する角度）を一定に保つことができる。よって、一方のフェンスが、一方のフェンスの側辺を構成する縦鋼棒を中心に、他方のフェンスに対して回動することを防止できるので、コーナにガタつきが発生することを防止できコーナの結合剛性を向上できる。
【００１７】
請求項２記載の野獣防護柵によれば、請求項１記載の野獣防護柵の奏する効果に加え、横鋼棒の端部がフェンス部の側辺を構成する縦鋼棒に当接するので、横鋼棒の端部がフェンス部の側辺から突出しない。よって、並設される一対のフェンス部の側辺を連結する連結作業を行う場合に、フェンス部の側辺を構成する縦鋼棒に横鋼棒の端部が干渉しないので、連結作業を簡易に行うことができるという効果がある。
【００１８】
請求項３記載の野獣防護柵によれば、請求項１又は２に記載の野獣防護柵の奏する効果に加え、縦鋼棒に係止される縦係止部から横鋼棒に係止される横係止部が延設され、縦係止部および横係止部の少なくとも一方からフェンスの外側に向って延設される腕部に、フェンスの外側に張設される裸電線が保持される保持部が形成される。よって、裸電線がフェンスの外側に張設されるので野獣を感電させて撃退できる一方、縦係止部および横係止部の少なくとも一方と保持部との間には腕部が介設されるので、裸電線は縦鋼棒および横鋼棒から離間配置される。従って、裸電線を縦鋼棒および横鋼棒に接触させることなくフェンスの外側に張設できるという効果がある。
【００１９】
さらに、電線保持具が絶縁部材で構成されるので、裸電線を保持する保持部から腕部を介して縦係止部および横係止部に電気が流れること防止できるという効果がある。また、縦鋼棒に係止される縦係止部から横鋼棒に係止される横係止部が延設されるので、縦係止部および横係止部が縦鋼棒および横鋼棒にそれぞれ係止されると、縦鋼棒に対する縦係止部の回動が規制されると共に横鋼棒に対する横係止部の回動が規制される。よって、電線保持具をフェンスに簡単に安定して係止できるという効果がある。
【００２０】
請求項４記載の野獣防護柵によれば、請求項３記載の野獣防護柵の奏する効果に加え、横鋼棒が配置される所定間隔は、フェンス部の上部に比べてフェンス部の下部が狭く設定されるので、フェンス部の下部から小動物がフェンス内に侵入することを防止できるという効果がある。一方、横鋼棒が配置される所定間隔がフェンス部の上部に比べてフェンス部の下部が狭く設定されると、フェンス部の全範囲において狭く設定される場合に比べて、横鋼棒の使用本数を削減できるので、フェンスの軽量化およびコスト削減を図ることができるという効果がある。また、フェンス部の下部に電線保持具を配置するので、フェンスの下部からフェンス内に侵入しようとする小動物や、地面を掘って侵入しようとする野獣を裸電線によって感電させて撃退できるという効果がある。
【図面の簡単な説明】
【００２１】
【図１】（ａ）は本発明の第１実施の形態における野獣防護柵の斜視図であり、（ｂ）は図１（ａ）のＩｂ方向から視た野獣防護柵の側面図である。
【図２】（ａ）はフェンスの正面図であり、（ｂ）は図２（ａ）のＩＩｂ方向から視たフェンスの側面図であり、（ｃ）はコーナ部材の正面図であり、（ｄ）は図２（ａ）のＩＩｄ方向から視たコーナ部材の側面図である。
【図３】（ａ）はコーナにおける野獣防護柵の拡大正面図であり、（ｂ）は図３（ａ）のＩＩＩｂ方向から視た野獣防護柵の拡大平面図である。
【図４】（ａ）は本発明の第２実施の形態における野獣防護柵の一部拡大背面図であり、（ｂ）は図４（ａ）のＩＶｂ―ＩＶｂ線における野獣防護柵の一部拡大断面図であり、（ｃ）は図４（ａ）のＩＶｃ―ＩＶｃ線における野獣防護柵の一部拡大断面図である。
【発明を実施するための最良の形態】
【００２２】
以下、本発明の好ましい実施の形態について添付図面を参照して説明する。図１（ａ）は、本発明の第１実施の形態における野獣防護柵１の斜視図であり、図１（ｂ）は、図１（ａ）のＩｂ方向から視た野獣防護柵１の側面図である。また、図１（ａ）では、野獣防護柵１の横方向の長さが一部省略されて図示され、地中に埋設される部分が一点鎖線で図示される。さらに、図１（ｂ）では、横鋼棒１０ｂの図示が省略されている。なお、同一のものには一部にのみ符号を付し残りの符号は省略する。図２から図４も同様である。
【００２３】
図１を参照して、野獣防護柵１の概略構成について説明する。野獣防護柵１は、猪が田畑に侵入するのを防止するために田畑を取り囲む柵であって、横方向に並設されて田畑の周囲を取り囲む矩形状のフェンス１０と、そのフェンス１０に結束ワイヤＫで連結される支柱２と、並設される一対のフェンス１０のコーナに配置されるコーナ部材２０とを備えて構成される。１ｍ〜２ｍごとに支柱２を地中に埋め込み起立させ、図１（ａ）及び図１（ｂ）に示すように、この起立させた各支柱２にフェンス１０が支持される。これにより、複数のフェンス１０で田畑が取り囲まれ周囲から区画されることによって田畑内に猪が侵入することを防止できる。
【００２４】
図２を参照して、フェンス１０と、コーナ部材２０とについて詳しく説明する。図２（ａ）はフェンス１０の正面図であり、図２（ｂ）は図２（ａ）のＩＩｂ方向から視たフェンス１０の側面図であり、図２（ｃ）はコーナ部材２０の正面図であり、図２（ｄ）は図２（ａ）のＩＩｄ方向から視たコーナ部材２０の側面図である。図２（ａ）においてフェンス１０の長さ方向の図示が省略されている。
【００２５】
図２（ａ）及び図２（ｂ）に示すように、フェンス１０は、猪が田畑に侵入するのを防止するための障壁であって、太さが５ｍｍφで長さが１３００ｍｍの縦方向に指向する１９本の縦鋼棒１０ａと、太さが５ｍｍφで長さが１８００ｍｍの横方向に指向する８本の横鋼棒１０ｂとで格子状に溶接され形成される。８本の横鋼棒１０ｂの端部は両端の縦鋼棒１０ａに当接される。
【００２６】
１９本の縦鋼棒１０ａのうち、両端の２本の縦鋼棒１０ａが９７ｍｍ間隔で、残りの１５本の縦鋼棒１０ａは１００ｍｍ間隔で、縦方向（図２（ａ）上下方向）に平行に並べられる。一方、８本の横鋼棒１０ｂのうち、フェンス１０の下部に配置される４本の横鋼棒１０ｂは１００ｍｍ間隔で、フェンス１０の上部に配置される３本の横鋼棒１０ｂは下から順番に、２７５ｍｍ、３００ｍｍ、２２２ｍｍ間隔で、横方向（図２（ａ）上下方向）に平行に並べられる。よって、横鋼棒１０ｂが配置される間隔は、フェンス１０の上部に比べてフェンス１０の下部が狭く設定される。
【００２７】
また、フェンス１０は、矩形状のフェンス部１１と、そのフェンス部１１の上端から上方（図２（ａ）及び図２（ｂ）上方）に延設されフェンス部１１に対して外側に傾斜配置される忍び返し１２と、フェンス部１１の下端から櫛歯状に突設される埋め込み部１３とを備えて構成され、フェンス部１１の側辺が連結されることにより一対のフェンス１０が交差した状態で並設される。並設される一対のフェンス１０によってコーナが形成され、そのコーナの交差角は９０より大きく１８０°より小さい範囲内に設定される。よって、コーナでは、一対の忍び返し１２間に隙間が形成される（図３参照）。
【００２８】
図２（ａ）に示すように、フェンス部１１は、フェンス１０の本体部分であって、横鋼棒１０ｂが配置される間隔は、上部に比べて下部が狭く設定される。よって、フェンス部１１の下部には、比較的小さい（１００ｍｍ四方）格子状の隙間が形成される。従って、猪の子供（うり坊）であってもフェンス部１１の下部に形成される格子状の隙間を通過できないので、猪の子供がフェンス１０内に侵入して田畑を荒らすことを防止できる。一方、かかる間隔がフェンス部１１の全範囲において狭く設定される場合に比べて、横鋼棒１０ｂが配置される間隔がフェンス部１１の下部のみ狭く設定される場合は、横鋼棒１０ｂの使用本数を削減できるので、フェンス１０の軽量化およびコスト削減を図ることができる。
【００２９】
図２（ｂ）に示すように、忍び返し１２は、猪の跳躍を防止する部分であって、フェンス１０の上端部分を所定角度θ１で外側に折り曲げることにより形成される。本実施形態では、所定角度θ１が４５°に設定される。
【００３０】
フェンス１０に忍び返し１２が形成される場合、猪はフェンス１０の高さが実際より高いと錯覚し、フェンス１０を飛び越えることができないという圧迫感を感じる。よって、猪はフェンス１０を飛び越えようとする行動自体を止め、野獣防護柵１内に侵入することを諦めて退散する。従って、フェンス１０を飛び越えようとした猪がフェンス１０に衝突してフェンス１０が破損することを防止できるので、フェンス１０（野獣防護柵１）の耐久性を向上できる。
【００３１】
図２（ａ）及び図２（ｂ）に示すように、埋め込み部１３は、フェンス１０を安定起立させるための部分であって、縦鋼棒１０ａの下端部分（最下位に位置する横鋼棒１０ｂから１００ｍｍほど下方に突出する部分）で形成される。よって、野獣防護柵１を設置する地表に凹凸があっても、この埋め込み部１３を地中に突刺すように設置すれば、最下位の横鋼棒１０ｂを地表に当接させた状態で（フェンス部１１と地表との間に隙間が形成されずに）フェンス１０を自立させることができる。フェンス部１１の下部に形成される格子状の隙間は１００ｍｍ四方に形成されるので、かかる隙間にフェンス１０を設置する作業者の足を挿入できる。従って、作業者はフェンス部１１の最下位の横鋼棒１０ｂを足で踏み込むことにより、埋め込み部１３を地中に簡単に埋め込むことができる。
【００３２】
上述したように、埋め込み部１３によってフェンス１０を自立させることができるので、フェンス１０と支柱２（図１参照）とを結束ワイヤＫ（図１参照）で連結する結束作業を簡易に行うことができる。また、フェンス部１１と地表との間に隙間が形成されないので、かかる隙間から小動物がフェンス１０内に侵入することを防止できる。さらに、埋め込み部１３は地中に埋設されるので、小動物がフェンス部１１の下端の近傍の地面に穴を掘っても、土中に埋もれていた埋め込み部１３が露出するだけで、フェンス１０内外を連通させる穴を形成できない。よって、小動物が地面を掘ってフェンス１０内に侵入することも防止できる。
【００３３】
また、両端の縦鋼棒１０ａに８本の横鋼棒１０ｂの端部が当接するので、横鋼棒１０ｂの端部がフェンス部１１の両側辺を構成する縦鋼棒１０ａから突出しない。よって、並設される一対のフェンス部１１の側辺を結束ワイヤＫで連結する連結作業を行う場合に、フェンス部１１の側辺を構成する縦鋼棒１０ａに横鋼棒１０ｂの端部が干渉しないので、一対のフェンス部１１の側辺を連結する連結作業を簡易に行うことができる。
【００３４】
図２（ｃ）及び図２（ｄ）に示すように、コーナ部材２０は、フェンス１０を任意の幅でカットすることにより形成できる。本実施の形態では、フェンス１０を２本の横鋼棒１０ｂの幅（２００ｍｍ）でカットすることによりコーナ部材２０を形成している。かかるコーナ部材２０は、交差した状態で並設される一対のフェンス１０によって形成されるコーナに配置されるので、コーナの角度によって必要とされる横方向の長さが変化する。これに対して、コーナ部材２０は、フェンス１０を縦方向に任意の幅でカットすることにより形成できるので、横方向の長さが異なる複数のコーナ部材２０を簡易に形成できる。よって、コーナの交差角度を任意に設定できる。
【００３５】
コーナ部材２０は、一対のフェンス１０によって形成されるコーナの内側に配置され一対のフェンス部１１のそれぞれに連結される補強部２１と、その補強部２１の上端から上方に延設されフェンス部１１に対して外側に傾斜配置されると共に一対の忍び返し１２間に形成される隙間を塞ぐ閉塞部２２と、補強部２１の下端から櫛歯状に突設される下端部２３とを備えて構成される。下端部２３は、埋め込み部１３と同様に地中に埋め込まれる部分であり、埋め込み部１３と同様に機能するので説明を省略し、補強部２１及び閉塞部２２については図３を参照して後に詳しく説明する。
【００３６】
また、コーナ部材２０はフェンス１０を縦方向に切断することにより形成されるので、補強部２１、閉塞部２２、及び下端部２３はそれぞれ横方向の長さのみが異なるだけである。よって、縦方向の長さはフェンス部１１、忍び返し１２及び埋め込み部１３とそれぞれ同一に形成され、閉塞部２２の傾斜角度は忍び返し１２の傾斜角度と同一に形成される。
【００３７】
次に、図３を参照して、補強部２１及び閉塞部２２についてそれぞれ詳しく説明する。図３（ａ）はコーナにおける野獣防護柵１の拡大正面図であり、図３（ｂ）は図３（ａ）のＩＩＩｂ方向から視た野獣防護柵１の拡大平面図である。
【００３８】
図３（ａ）に示すように、補強部２１は、一対のフェンス１０によって形成されるコーナを補強するための部材であって、補強部２１の一側（図３（ａ）左側）が一方（図３（ａ）左方）のフェンス部１１に、補強部２１の他側（図３（ａ）右側）が他方（図３（ａ）右方）フェンス部１１に、それぞれ結束ワイヤＫで連結される。かかるコーナ部材２０の補強部２１によってコーナの角度θ２（一対のフェンス部１１が交差する角度）を一定に保つことができる。よって、一方のフェンス部１１（フェンス１０）が、一方のフェンス部１１の側辺を構成する縦鋼棒１０ａを中心に、他方のフェンス部１１（フェンス１０）に対して回動することを防止できる。従って、一対のフェンス部１１のコーナにガタつきが発生することを防止できコーナの結合剛性を向上できる。
【００３９】
図３（ｂ）に示すように、閉塞部２２は、一対の忍び返し１２間に隙間が発生することを防止する部分であって、一対の忍び返し１２に閉塞部２２が重ね合わせられる。それら重ね合わされた閉塞部２２と忍び返し１２とを結束ワイヤＫ（図１（ａ）参照）で連結しても良い。
【００４０】
一対の忍び返し１２に閉塞部２２が重ね合わせられるので、一対のフェンスが交差した状態で並設され、そのコーナの交差角が９０より大きく１８０°より小さい範囲内に設定されるために一対の忍び返し１２間に隙間が発生する場合であっても、かかる隙間の一部が閉塞部２２によって塞がれる。よって、忍び返し１２を有効に機能させることができるので、フェンス１０を飛び越えられないと猪に錯覚させることができる。従って、猪がフェンス１０に衝突してフェンス１０が破損することを防止できるので、フェンス１０の耐久性を向上できる。また、閉塞部２２と忍び返し１２とを結束ワイヤＫで連結すると、閉塞部２２が一対の忍び返し１２から浮き上がることを防止でき、一対の忍び返し１２間に発生する隙間を確実に閉塞できる。
【００４１】
次に、図４を参照して、本発明の第２実施の形態における野獣防護柵１００について説明する。図４（ａ）は、本発明の第２実施の形態における野獣防護柵１００の一部拡大背面図、即ち、内側（田畑側）から野獣防護柵１００を視た状態を示している。また、図４（ｂ）は、図４（ａ）のＩＶｂ―ＩＶｂ線における野獣防護柵１００の一部拡大断面図であり、図４（ｃ）は、図４（ｂ）のＩＶｃ―ＩＶｃ線における野獣防護柵１００の一部拡大平面図である。なお、図４（ｃ）では、図４（ｃ）のＸで示す部分が拡大図示されている。上記した第１実施の形態と同一の部分には同一の符号を付して、その説明を省略する。
【００４２】
第１実施の形態における野獣防護柵１では、電線保持具１３０がフェンス１０に取り付けられておらず、猪がフェンス１０のすぐ側まで接近可能であるのに対して、第２実施の形態における野獣防護柵１００では、電線保持具１３０がフェンス１０に取り付けられており、その電線保持具１３０にフェンス１０の外側に張設される裸電線Ｄが保持されるので、猪がフェンス１０のすぐ側まで接近できないように構成される。
【００４３】
図４（ａ）〜図４（ｃ）に示すように、電線保持具１３０は、裸電線Ｄをフェンス１０に係止するための部材であり、樹脂等の絶縁部材で構成され、フェンス部１１の下部、具体的には地上から略１２０ｍｍの高さに配置される。また、電線保持具１３０は、縦係止部１３１と、その縦係止部１３１の両側から延設される横係止部１３２と、縦係止部１３１からフェンス１０の外側（図４（ｂ）左側）に向って延設される腕部１３３と、その腕部１３３に形成される保持部１３４によって構成される。
【００４４】
図４（ａ）及び図４（ｃ）に示すように、縦係止部１３１は、縦鋼棒１０ａに係止される部分であって、平面視で内向き（図４（ｃ）下向き）に開口するＵ字状の筒型に形成され縦鋼棒１０ａが挿入される挿入穴１３１ａが形成される。一対の係止爪１３１ｂが縦係止部１３１の両端部から外向き（図４（ｃ）上向き）に挿入穴１３１ａ側に向かって傾斜して突設され平面視でハ字状に形成される。
【００４５】
図４（ａ）〜図４（ｃ）に示すように、横係止部１３２は、横鋼棒１０ｂに係止される部分であって、横方向（図４（ａ）左右方向）及び下方向（図４（ａ）下方向）に延設されるＬ字状に形成される。かかるＬ字状の下方向に延設される部分に横鋼棒１０ｂが挿入され嵌合される半長円状の切欠き１３２ａが凹設される。
【００４６】
図４（ａ）〜図４（ｃ）に示すように、保持部１３４は、フェンス１０の外側に張設される裸電線Ｄを保持する部分であって、腕部１３３の先端部分の上面から突設される一対の上側係止ピン１３４ａと、先端部分の下面から突設される一対の下側係止ピン１３４ｂとを備えて構成される。
【００４７】
ここで、図４（ａ）〜図４（ｃ）を参照して、裸電線Ｄを野獣防護柵１００に係止する工程について説明する。コーナの内側に配置したコーナ部材２０の補強部２１及び閉塞部２２を、それぞれ一対のフェンス部１１及び一対の忍び返し１２に結束ワイヤＫ（図１参照）で連結した後、フェンス部１１の下部に電線保持具１３０を取り付ける。具体的には、まず、図４（ｂ）に示すように、上方（図４（ｂ）上方）から横係止部１３２の切欠き１３２ａに横鋼棒１０ｂを挿入して嵌合させた後、切欠き１３２ａに嵌合された横鋼棒１０ｂを中心に縦係止部１３１が縦鋼棒１０ａに近づくように上方に縦係止部１３１を回動させる。図４（ａ）に示すように、上方に回動した縦係止部１３１の挿入穴１３１ａに縦鋼棒１０ａを挿入することにより、電線保持具１３０がフェンス１０（フェンス部１１）に取り付けられる。このように、電線保持具１３０を野獣防護柵１００の各フェンス１０それぞれに取り付けた後、野獣防護柵１００を取り囲むように裸電線Ｄを配索する。この場合、裸電線Ｄが下側係止ピン１３４ｂと上側係止ピン１３４ａとに平面視でＳ字状に引っ掛けられることにより、保持部１３４に裸電線Ｄが保持され、裸電線Ｄが電線保持具１３０を介して野獣防護柵１００に係止される。
【００４８】
一対の係止爪１３１ｂは、縦係止部１３１の両端部から外向き（図４（ｃ）上向き）に挿入穴１３１ａ側に向かって傾斜して突設され平面視でハ字状に形成されるので、縦鋼棒１０ａは一対の係止爪１３１ｂの傾斜に案内され係止爪１３１ｂを押し広げながら挿入穴１３１ａに挿入される。よって、電線保持具１３０をフェンス部１０に簡単に取り付けることができる。さらに、挿入穴１３１ａに縦鋼棒１０ａが挿入されると、縦鋼棒１０ａは一対の係止爪１３１ｂの先端と挿入穴１３１ａの内壁との間で保持される。よって、縦係止部１３１が縦鋼棒１０ａから抜け落ちることを確実に防止できる。一方、一対の係止爪１３１ｂを離間する方向に押し広げることにより、縦鋼棒１０ａから縦係止部１３１を取り外せる。従って、電線保持具１３０をフェンス１０に簡単に脱着できる。
【００４９】
また、電線保持具１３０に保持される裸電線Ｄは、フェンス１０の外側に張設されるので野獣を感電させて撃退できる一方、縦係止部１３１と保持部１３４との間には腕部１３３が介設されるので、裸電線Ｄがフェンス１０から離間配置される。従って、裸電線Ｄを縦鋼棒１０ａ及び横鋼棒１０ｂに接触させることなくフェンス１０の外側に張設できる。
【００５０】
電線保持具１３０が絶縁部材で構成されるので、裸電線Ｄを保持する保持部１３４から腕部１３３を介して縦鋼棒１０ａ及び横鋼棒１０ｂに電気が流れること防止できる。また、縦鋼棒１０ａに挿入される縦係止部１３１から横鋼棒１０ｂに挿入し嵌合される横係止部１３２が延設されるので、縦係止部１３１の挿入穴１３１ａ及び横係止部１３２の切欠き１３２ａに縦鋼棒１０ａ及び横鋼棒１０ｂをそれぞれ挿入すると、縦鋼棒１０ａに対する縦係止部１３１の回動が規制されると共に横鋼棒１０ｂに対する横係止部１３２の回動が規制される。よって、電線保持具１３０をフェンス１０に簡単に安定して係止できる。
【００５１】
フェンス部１１の下部に電線保持具１３０を配置するので、フェンス部１１の下部の格子状の隙間からフェンス１０内に侵入しようとする小動物や、地面を掘って侵入しようとする野獣を裸電線Ｄによって感電させて撃退できる。
【００５２】
以上、各実施の形態に基づき本発明を説明したが、本発明は上記各実施の形態に何ら限定されるものではなく、本発明の趣旨を逸脱しない範囲内で種々の改良変更が可能であることは容易に推察できるものである。
【００５３】
例えば、上記各実施の形態では、野獣防護柵１，１００により猪が田畑に侵入することを防止する場合を説明したが、必ずしもこれに限られるものではなく、猪以外の野獣が田畑に侵入することを防止してもよい。この場合は、侵入を防止する野獣の種類に応じて縦鋼棒１０ａが配置される間隔および横鋼棒１０ｂが配置される間隔を適宜変更することが好ましい。これにより、横鋼棒１０ｂおよび横鋼棒１０ｂによって形成される格子状の隙間の大きさを変更できる。従って、猪より小さい小動物の侵入を防止する場合は、格子状の隙間を小さく形成できるので、小動物が野獣防護柵１内に侵入する確実に防止できる。
【００５４】
また、上記各実施の形態では、フェンス部１１の下端から埋め込み部１３が突設される場合を説明したが、必ずしもこれに限られるものではなく、フェンス１０が埋め込み部１３を有しない構成であってもよい。同様に、補強部２１の下端から下端部２３が突設される場合を説明したが、コーナ部材２０が下端部２３を有しない構成であってもよい。この場合は補強部２１及び下端部２３を地中に埋め込む作業を省略できるので、野獣防護柵１を設置する工程を簡易化できる。一方、埋め込み部１３や下端部２３を有しない場合であっても、フェンス１０は支柱２に、コーナ部材２０はフェンス１０にそれぞれ支持されるので、フェンス１０及びコーナ部材２０の倒れは防止される。
【００５５】
さらに、上記各実施の形態では、縦係止部１３１から腕部１３３を延設させる場合について説明したが、必ずしもこれに限られるものではなく、一対の横係止部１３２から腕部１３３を延設させる構成であってもよい。また、腕部１３３を介して縦係止部１３１と一対の横係止部１３２とが連設される構成であってもよい。この場合は、電線保持具１３０の剛性を向上できるので、剛性を向上できる分だけ電線保持具１３０を小型化でき、コストの低減を図ることができる。
【符号の説明】
【００５６】
１，１００    野獣防護柵
１０          フェンス
１０ａ        縦鋼棒
１０ｂ        横鋼棒
１１          フェンス部
１２          忍び返し
２０          コーナ部材
２１          補強部
２２          閉塞部
１３０        電線保持具
１３１        縦係合部
１３２        横係合部
１３３        腕部
１３４        保持部
Ｄ            裸電線
【図１】
2011115060.tif 000003
【図２】
2011115060.tif 000004
【図３】
2011115060.tif 000005
【図４】
2011115060.tif 000006